(57)【要約】【課題】蓋体の開閉動作に伴って、蓋体を通して見える化粧料の表面の模様が変化して見える、斬新な外観を有する化粧料容器を提供する。【解決手段】化粧料用凹部１３内に化粧料２０が収容された容器本体１０と、上記化粧料２０の上面に対し隙間をあけた状態でこの容器本体１０の上面を蓋する蓋体１１とを備え、上記蓋体１１が、容器本体１０の上面に対し１点を中心として側方に回動自在に取り付けられており、上記容器本体１０に収容された化粧料２１の上面に、特定の模様が付与されているとともに、上記蓋体１１に特定の透明領域２１が設けられており、上記蓋体１１が容器本体１０の上面から段階的に側方に回動した状態で、上記蓋体１１の透明領域２１から見える容器本体１０側の模様が、規則的に変化して見えるようになっている。【選択図】図１
2015188628.tif 000002
【特許請求の範囲】
【請求項１】
上面凹部内に化粧料が収容された容器本体と、上記容器本体に収容された化粧料の上面に対し隙間をあけた状態でこの容器本体の上面を蓋する蓋体とを備え、上記蓋体が、容器本体の上面に対し１点を中心として側方に回動自在に取り付けられた化粧料容器であって、上記容器本体に収容された化粧料の上面、もしくはこの上面に載置される透明保護シートの上面に、特定の模様が付与されているとともに、上記蓋体に、上記化粧料の上面もしくはこの上面に載置される透明保護シートの上面に付与された上記模様を、特定の配置で断続的に見せるための透明領域が設けられており、上記蓋体が容器本体の上面から段階的に側方に回動した状態において、上記蓋体の透明領域から見える容器本体側の模様が、規則的に変化して見えるようになっていることを特徴とする化粧料容器。
【請求項２】
上記化粧料の上面、もしくはこの上面に載置される透明保護シートの上面に付与される模様が、上記蓋体を、容器本体の上面から段階的に回動角度を変化させて回動したときの、上記蓋体の透明領域を通して見えるｎ通りの模様パターンを同一面に重ねた模様であって、上記各模様パターンが、蓋体の透明領域を通して順次視認されることにより、その模様が規則的に変化して見えるようになっている請求項１記載の化粧料容器。
【請求項３】
上記模様の規則的な変化が、２〜１０種類の模様パターンの組み合わせによるものである請求項１または２記載の化粧料容器。
【請求項４】
上記蓋体の透明領域が形成された面と、容器本体に収容された化粧料の上面、もしくはこの上面に載置される透明保護シートの上面との垂直距離が、０．１〜２０．０ｍｍに設定されている請求項１〜３のいずれか一項に記載の化粧料容器。
【発明の詳細な説明】
【技術分野】
【０００１】
本発明は、蓋体の開閉時に、その蓋体を通して見える化粧料表面の模様がつぎつぎと変化するように見える、斬新な化粧料容器に関するものである。
【背景技術】
【０００２】
従来、樹脂成形体や樹脂シート等において、見る角度によって模様や色彩が変化する特殊な装飾を施したものが各種提案されている。例えば、アクリル樹脂等の透明性シートの片面に所定のピッチで繰り返された第１の模様を有する第１パターン部を設け、反対側の面に、上記第１の模様と相似形状の第２の模様により形成されたモアレ模様を有する第２のパターン部を設け、片面から見た場合の目線の動きによって、第１の模様と第２の模様との重なり方がずれて、モアレ模様に奥行きと立体感が生じるようにしたものが提案されている（特許文献１を参照）。
【０００３】
また、上記と同様の構成の透明性シートの上に、文字や模様を一面から彫ったガラス板を、その彫り込みのない方の面を上にして重ねることにより、立体感と高級感に優れた三次元プレートを得るようにしたものが提案されている（特許文献２を参照）。
【０００４】
さらに、シートの片面に、特定の配列で多数の凸レンズを設け、反対側の面に、特定の配列の模様単位を設けて、この模様単位に光学的影響を与えて、非常に変化に富む三次元モアレ模様を得るようにしたものも提案されている（特許文献３を参照）。
【先行技術文献】
【特許文献】
【０００５】
【特許文献１】特開平１１−１８９０００号公報
【特許文献２】特開２００５−２２３６０号公報
【特許文献３】国際公開第２００７／００７７９３号
【発明の概要】
【発明が解決しようとする課題】
【０００６】
しかしながら、これらの技術は、いずれも、透明なシートやプレートの片方の面に形成された模様を他方の面からみて三次元的に見えるよう工夫したものであり、その見え方の変化が、シートの厚みのずれを利用したものにすぎないため、緻密なモアレ模様に奥行きを与える等の変化でしかない。
【０００７】
ところで、最近、仕掛け絵本や仕掛けカードとして、絵本のページをめくったりカードを開いたりする動作に伴って絵があたかも動くように見えるもの（一般に「スキャニメーション」といわれている）が出回っており、人気を博している。
【０００８】
このようなスキャニメーションを利用した仕掛け絵本の一例を図１５（ａ）に示す。この絵本は、各ページ１が厚紙の袋状になっており、その表側の面は枠状に切り欠かれ、その開口部に、黒い縦縞模様２が印刷された透明シート３が設けられている。そして、その内側に、図１５（ｄ）に示すような、上記黒い縦縞模様２と同じピッチの黒い縦縞模様からなる円形模様４と星形模様５とが、互いに半ピッチずつずれて相手の縞と縞の間に入り込んだ、特殊な模様Ｒが印刷された厚紙シート６が差し込まれている。
【０００９】
そして、この厚紙シート６は、ページ１をめくる際に、向かって左側に、数ピッチ分だけずれるように袋状の各ページ１の内側に取り付けられている。したがって、黒い縦縞模様２が星形模様５と重なった配置では、図１５（ｂ）に示すように、円形模様４が見え、半ピッチずれて黒い縦縞模様２が円形模様４と重なると、図１５（ｃ）に示すように、星形模様５が見える。ページ１をめくる動作に伴い、上記図形の変化が連続的に繰り返されるため、途切れた画像を補おうとする人間の錯視によって、あたかも円がはじけて星になったり星からまた丸くなって円にもどったりする変化が滑らかに動いて見えるのである。
【００１０】
そこで、容器や広告パネル等の立体製品に対しても、上記スキャニメーションのように、異なる模様がつぎつぎと変化して現れるような、斬新な外観を付与することが期待されているが、そのようなものは未だ得られていないのが実情である。
【００１１】
本発明は、このような事情に鑑みなされたもので、蓋体の開閉動作に伴って、蓋体を通して見える化粧料表面の模様がつぎつぎと変化するように見える、斬新な外観を有する化粧料容器の提供をその目的とする。
【課題を解決するための手段】
【００１２】
上記の目的を達成するため、本発明は、上面凹部内に化粧料が収容された容器本体と、上記容器本体に収容された化粧料の上面に対し隙間をあけた状態でこの容器本体の上面を蓋する蓋体とを備え、上記蓋体が、容器本体の上面に対し１点を中心として側方に回動自在に取り付けられた化粧料容器であって、上記容器本体に収容された化粧料の上面、もしくはこの上面に載置される透明保護シートの上面に、特定の模様が付与されているとともに、上記蓋体に、上記化粧料の上面もしくはこの上面に載置される透明保護シートの上面に付与された上記模様を、特定の配置で断続的に見せるための透明領域が設けられており、上記蓋体が容器本体の上面から段階的に側方に回動した状態において、上記蓋体の透明領域から見える容器本体側の模様が、規則的に変化して見えるようになっている化粧料容器を第１の要旨とする。
【００１３】
また、本発明は、そのなかでも、特に、上記化粧料の上面、もしくはこの上面に載置される透明保護シートの上面に付与される模様が、上記蓋体を、容器本体の上面から段階的に回動角度を変化させて回動したときの、上記蓋体の透明領域を通して見えるｎ通りの模様パターンを同一面に重ねた模様であって、上記各模様パターンが、蓋体の透明領域を通して順次視認されることにより、その模様が規則的に変化して見えるようになっている化粧料容器を第２の要旨とする。
【００１４】
さらに、本発明は、それらのなかでも、特に、上記模様の規則的な変化が、２〜１０種類の模様パターンの組み合わせによるものである化粧料容器を第３の要旨とし、上記蓋体の透明領域が形成された面と、容器本体に収容された化粧料の上面、もしくはこの上面に載置される透明保護シートの上面との垂直距離が、０．１〜２０．０ｍｍに設定されている化粧料容器を第４の要旨とする。
【発明の効果】
【００１５】
すなわち、本発明の化粧料容器は、従来の仕掛け絵本や仕掛けカードに用いられてきた原理を、立体的な化粧料容器に適用したもので、容器本体に対して蓋体を側方に回動させて開閉するようになっている化粧料容器において、容器本体に収容された化粧料の上面、もしくはこの上面に載置される透明保護シートの上面に特定の模様を付与し、この模様を、蓋体側に設けられた特定の透明領域を通して、限定的に見せることにより、蓋体の開閉時にその模様が規則的に変化して見えるようにしたものである。
【００１６】
この構成によれば、化粧料容器の蓋体を、側方に回動させて開閉する都度、蓋体の透明領域を通して見える容器内側の模様が規則的に変化するため、非常に興趣に富むものとなる。しかも、上記特殊な変化を生じる模様を、容器本体に収容された化粧料の上面か、その上面に載置される透明保護シートの上面に付与するようになっているため、容器の蓋体や容器本体を量産しておき、最終工程において、容器本体に収容する化粧料の表面に特定の模様を付与するか、別工程で用意された特定の模様付き透明保護シートを化粧料上面に載置するだけで、簡単に、様々な変化パターンを見せることのできる化粧料容器を提供することができる。したがって、顧客ニーズに応じた変化パターンを備えた化粧料容器を、低コストで、短期間で納品することができるという利点を有する。
【００１７】
そして、本発明のなかでも、特に、上記化粧料の上面、もしくはこの上面に載置される透明保護シートの上面に付与される模様が、上記蓋体を、容器本体の上面から段階的に回動角度を変化させて回動したときの、上記蓋体の透明領域を通して見えるｎ通りの模様パターンを同一面に重ねた模様であって、上記各模様パターンが、蓋体の透明領域を通して順次視認されることにより、その模様が規則的に変化して見えるようになっているものは、模様の規則的な変化がより明確となって、一層興趣に富むものとなる。
【００１８】
また、本発明のなかでも、特に、上記模様の規則的な変化が、２〜１０種類の模様パターンの組み合わせによるものであるものは、蓋体の開閉動作に伴って、模様の変化を明確に把握することができ、強い印象を与えることができるという利点を有する。
【００１９】
さらに、本発明のなかでも、特に、上記蓋体の透明領域が形成された面と、容器本体に収容された化粧料の上面、もしくはこの上面に載置される透明保護シートの上面との垂直距離が、０．１〜２０．０ｍｍに設定されているものは、蓋体の透明領域を通して、容器内側の模様の変化を効果的に見せることができ、好適である。
【図面の簡単な説明】
【００２０】
【図１】（ａ）本発明の一実施の形態である化粧料容器の、蓋体が閉じた状態を示す斜視図、（ｂ）は上記化粧料容器の、蓋体が途中まで開いた状態を示す斜視図である。
【図２】（ａ）は上記化粧料容器の容器本体に収容された化粧料の説明図、（ｂ）は上記化粧料容器の蓋体の説明図、（ｃ）〜（ｆ）は、いずれも上記蓋体を開くときの模様の変化を示す説明図である。
【図３】（ａ）〜（ｃ）はいずれも、上記蓋体を開くときの模様の変化を示す説明図である。
【図４】図１（ａ）のＡ−Ａ′断面を部分的に示す説明図である。
【図５】本発明の他の実施の形態における化粧料の説明図である。
【図６】本発明のさらに他の実施の形態における透明保護シートの説明図である。
【図７】（ａ）は化粧料表面に付与される模様の他の例を示す説明図、（ｂ）は上記模様と組み合わせて用いられる蓋体の説明図、（ｃ）は上記蓋体を閉じた状態における模様の見え方の説明図である。
【図８】（ａ）〜（ｄ）は、いずれも上記蓋体を開くときの模様の変化を示す説明図である。
【図９】（ａ）は化粧料表面に付与される模様のさらに他の例を示す説明図、（ｂ）上記模様と組み合わせて用いられる蓋体の説明図である。
【図１０】（ａ）は上記蓋体を閉じた状態における模様の見え方の説明図、（ｂ）は上記蓋体を開くときの模様の変化を示す説明図である。
【図１１】（ａ）本発明の他の実施の形態である化粧料容器の、蓋体が閉じた状態を示す斜視図、（ｂ）は上記化粧料容器の、蓋体が途中まで開いた状態を示す斜視図である。
【図１２】（ａ）は上記化粧料容器の化粧料表面に付与される模様の説明図、（ｂ）は上記化粧料容器の蓋体の説明図、（ｃ）は上記蓋体を閉じた状態における模様の見え方の説明図、（ｄ）、（ｅ）は、ともに上記蓋体を開くときの模様の変化を示す説明図である。
【図１３】（ａ）〜（ｅ）は、いずれも上記蓋体を開くときの模様の変化を示す説明図である。
【図１４】（ａ）は上記化粧料容器における蓋体の変形例を示す説明図、（ｂ）は上記蓋体と組み合わせて用いられる化粧料の模様の説明図である。
【図１５】（ａ）はスキャニメーションを利用した仕掛け絵本の一例を示す説明図、（ｂ）〜（ｄ）は、いずれも上記仕掛け絵本における模様の見え方の説明図である。
【発明を実施するための形態】
【００２１】
つぎに、本発明の実施の形態について説明する。ただし、本発明は、以下の実施の形態に限られるものではない。
【００２２】
図１（ａ）は、本発明の一実施の形態である化粧料容器の、蓋体１１が閉じた状態を示す斜視図であり、図１（ｂ）は、蓋体１１が途中まで開いた状態を示す斜視図である。この化粧料容器は、化粧料（この例ではフェイスカラー）を収容する容器本体１０と、この容器本体１０に対して、１点Ｏを中心として側方に回動自在に取り付けられる蓋体１１とを備えており、上記蓋体１１を、容器本体１０の上面に沿って、矢印Ｑに示すように側方にスライド移動させることにより、蓋体１１の開閉ができるようになっている。
【００２３】
より詳しく説明すると、上記容器本体１０は、全体が白色樹脂成形体からなり、その上面に設けられた化粧料用凹部１３には、図２（ａ）に示すように、その表面に色模様が付与された化粧料２０が収容されている。この色模様は、色の異なる複数の化粧料を、化粧料２０の表面に静電印刷によってごく薄く付着させることによって形成されており、蓋体１１の回動中心である回転軸の中心Ｏから放射状に延びる筋状の、ピンク色の模様部分５０と、オレンジ色の模様部分５１とが、交互に並んだ模様になっている。なお、この例では、図１（ａ）のＡ−Ａ′断面図である図４に示すように、化粧料２０を中皿１４に収容し、その中皿１４を化粧料用凹部1３内に収容しているが、上記化粧料２０は、化粧料用凹部１３内に直接収容してもよい（図１〜図３では中皿１４の図示を省略）。
【００２４】
また、上記容器本体１０の上面を蓋する蓋体１１は、全体が透明樹脂成形体からなり、これを上から見た図２（ｂ）に示すように、その上面の略全面に、白色インクを用いたスクリーン印刷によって、白色の着色層１８が形成されているとともに、回転軸の中心Ｏから放射状に延びる、不揃いの小さな円形が筋状に集合したデザインの、五つの透明領域２１が形成されている。
【００２５】
そして、上記蓋体１１が容器本体１０の上面を完全に閉じた状態では、図２（ｃ）に示すように、五つの透明領域２１のうち、内側の三つの透明領域２１に、ピンク色の模様部分５０が位置決めされて、ピンク色の筋模様となり、他の透明領域２１には、容器本体１０の上面（白色）が重なって、この部分には模様がないように見える。したがって、蓋体１１を通して見える化粧料２０の表面には、ピンク色の水玉模様が筋状に延びるデザインが付与されているように見える。
【００２６】
つぎに、蓋体１１をわずかに回動させると、図２（ｄ）に示すように、主として内側の二つの透明領域２１に、ピンク色の模様部分５０とオレンジ色の模様部分５１とが半分ずつ位置決めされて、二色が混じり合った筋模様となる。そして、さらに、蓋体１１を回動させると、図２（ｅ）に示すように、内側の二つの透明領域２１と、向かって右端の透明領域２１の一部に、オレンジ色の模様部分５１が位置決めされ、他の透明領域２１には、主として容器本体１１の上面（白色）が重なるため、ピンク色の水玉模様が、あたかもオレンジ色の水玉模様に変化したかのように見えるようになっている。
【００２７】
つぎに、蓋体１１をさらに回動させると、図２（ｆ）に示すように、手前側の三つの透明領域２１に、ピンク色の模様部分５０とオレンジ色の模様部分５１とが半分ずつ位置決めされて、二色が混じり合った筋模様となる。そして、さらに蓋体１１を回動させると、図３（ａ）に示すように、上記三つの透明領域２１に、ピンク色の模様部分５０が位置決めされ、他の透明領域２１には、主として容器本体１１の上面（白色）が重なるため、オレンジ色の水玉模様が、あたかもピンク色の水玉模様に変化したかのように見えるようになっている。
【００２８】
そして、さらに蓋体１１を回動させると、図３（ｂ）、（ｃ）に示すように、手前側の二つの透明領域２１に、ピンク色の模様部分５０とオレンジ色の模様部分５１とが半分ずつ位置決めされた状態を経由して、その透明領域２１に、オレンジ色の模様部分５１が位置決めされた状態となるため、再び、ピンク色の水玉模様が、あたかもオレンジ色の水玉模様に変化したかのように見えるようになっている。
【００２９】
これらの変化によって、化粧料２０がピンク色とオレンジ色の二色だけで構成されているにもかかわらず、蓋体１１を通して見える筋状の水玉模様が、つぎつぎと色が変わって見えるため、アイキャッチ効果が高いものとなる。そして、この変化は、蓋体１１を回動させて開閉する都度、見ることができるため、この変化を繰り返し楽しむことができる。
【００３０】
このように、蓋体１１の回動によって、上記のような視覚的な効果を得るには、化粧料２０の表面における色模様の各模様部分５０、５１の配置と、蓋体１１の透明領域２１の配置とを互いに関連付けて設定することが必要であり、上記の例では、二色の模様部分５０、５１がともに、回転軸の中心Ｏを挟む角度θ［図２（ａ）を参照］が１５°となる幅で交互に並ぶ放射状の色模様となっており、透明領域２１を構成する不揃いの円形の集合が、それぞれ同じく角度１５°の間隔で配置されている。したがって、蓋体１１が１５°回動するごとに、透明領域２１から見える色模様の色が完全に変化し、その中間の位置では、二つの色が混じり合って見えるようになっており、蓋体１１の回動に伴う色の変化を楽しむことができるようになっている。このような、蓋体１１の回動に伴う色の変化を効果的に見せるには、変化をつけるために分割される色模様の角度［図２（ａ）においてθで示す］を、１〜３０°程度に設定することが好適である。すなわち、上記角度θが１°未満では、模様が緻密になりすぎてその変化を捉えにくくなり、逆に３０°を超えると、変化が粗すぎて面白みにかけるものとなるおそれがあるからである。
【００３１】
また、上記蓋体１１の回動に伴う水玉模様の変化を効果的に見せるには、蓋体１１側に設けられた透明領域２１と、化粧料２０の上面、すなわち色模様の上面との垂直距離（図４においてＨで示す）も重要である。すなわち、上記垂直距離Ｈが短すぎると、変化に乏しいものとなるおそれがあり、逆に、上記垂直距離Ｈが長すぎると、模様の見え方に奥行きがありすぎて模様の変化を捉えにくくなるおそれがあるからである。そして、垂直距離Ｈが長すぎると、化粧料容器が上下方向に嵩張りすぎることになり、その点においても好ましくない。したがって、上記垂直距離Ｈは、通常、０．１〜２０．０ｍｍに設定することが好適であり、なかでも、目線の角度を変えて模様を変化させる効果をもたせるには、２．０〜７．０ｍｍに設定することがとりわけ好適である。
【００３２】
なお、上記の例では、上記化粧料２０の上面に、直接、視覚的な変化を生じさせるための色模様を、静電印刷によって付与したが、この構成では、化粧料２０を未使用の状態でしか、その見え方の変化を楽しむことができない。すなわち、化粧料２０を使用し始めると、その上面の模様が崩れてしまうからである。
【００３３】
そこで、化粧料２０の使用後も、未使用時と同様の視覚的な変化を楽しむために、例えば図５に示すように、その厚み方向全体に同じ模様を形成するよう色の異なる化粧料２０ａ、２０ｂを組み合わせたものを、化粧料２０として用いてもよい。この構成によれば、繰り返し化粧料２０を使用して化粧料２０がすり減っても、蓋体１１の回動動作ごとに、視覚的な変化が現れる効果を奏する色模様が崩れないため、好適である。
【００３４】
化粧料２０自身を、厚み方向全体に同じ模様となるよう複数の色の異なる化粧料で形成する方法としては、例えば、（１）予め模様を形成するための、複数の、色の異なる模様部分を、小さな板状に賦形しておき、これを並べて化粧料収容用の凹部（中皿１４の凹部もしくは容器本体１０内に直接収容する場合は化粧料用凹部１３）内に収容した後、上からプレスして固定する方法や、（２）凹部内を塞ぐ大きさの異なる複数の雄型を用意し、この雄型を、大きい方から順に凹部内に配置して、一層ずつ模様部分材料の充填・固化を行う方法等があげられる。また、（３）流動性のある状態で各色の化粧料材料を、上記所定の色模様が形成されるよう仕切られた凹部内にそれぞれ充填した後、仕切りを除去して固化する方法を用いることもできる。なかでも、上記（１）の方法が、互いの境界面において形が崩れにくいことから好適である。
【００３５】
また、図６に示すように、化粧料２０の上面に載置される透明保護シート４０の上面に、視覚的な効果を奏するための色模様を印刷するようにしてもよい。この構成によっても、化粧料２０の使用、未使用に関係なく、蓋体１１の開閉時に、上記の例と同様の、視覚的な変化を楽しむことができ、好適である。なお、上記透明保護シート４０の下面側から特定の模様を印刷して、これを透明保護シート４０の上面側から透かして見せるようにしても同様の効果が得られる。したがって、本発明において、「透明保護シートの上面に、特定の模様を付与する」とは、上記のように、透明保護シート４０の下面側に模様を印刷等して、これを上面側から透かして見せる場合も含む趣旨である。
【００３６】
なお、模様が付与された透明保護シート４０が、蓋体１１のスライド動作によって化粧料２０の上面からずれないように、化粧料用凹部１３内の化粧料２０の上面を、図６に示すように、凹部１３の周囲よりも一段低く設定し、その一段低い部分１９において、透明保護シート４０が動かないようにすることが好ましい。
【００３７】
一方、上記蓋体１１側に設けられる透明領域２１は、上記の例では、透明樹脂成形体である蓋体１１に、白色インクを用いたシルクスクリーン印刷によって着色層１８を形成し、その着色層１８が形成されていない部分として透明領域２１を形成したが、それ以外に、例えば、予め転写シートに、白色等の不透明なインクによる着色層１８（透明領域２１となる部分を除いたもの）を形成しておき、これを透明な蓋体１１の表面に転写することによっても得ることができる。また、透明領域２１の形成予定部以外の部分に、塗装や金属蒸着等によって着色層１８を形成するようにしてもよい。あるいは、蓋体１１の上面全体に着色層１８を形成しておき、透明領域２１となる部分をレーザ照射等によって除去するようにしてもよい。
【００３８】
そして、上記透明領域２１を形成するための着色層１８は、必ずしも蓋体１１の上面に設ける必要はなく、場合によっては蓋体１１の下面、すなわち容器本体１０の上面と対峙する側の面に設けてもよい。ただし、その場合も、上記着色層１８の形成面（すなわち透明領域２１の形成面）と、化粧料２０の上面との垂直距離Ｈ（図４を参照）は、前述のとおり、０．１〜２０．０ｍｍに設定することが好適であり、なかでも、２．０〜７．０ｍｍに設定することが最適である。
【００３９】
また、本発明の他の実施の形態として、化粧料２０の色模様のデザインと、これを断続的に見せる蓋体１１側の透明領域２１の形状および配置を工夫することにより、色が、上記のように段階的に変化するのではなく、一気に変化するかのように見せることもできる。そのような例として、例えば、上記の例と同様、全体が白色樹脂成形体からなる容器本体１０において、その化粧料用凹部１３内に収容された化粧料２０の色模様が、図７（ａ）に示すように構成され、蓋体１１側の透明領域２１が、図７（ｂ）に示すように構成されたものをあげることができる。
【００４０】
すなわち、この例では、化粧料２０の表面に付与された色模様が、図７（ａ）に示すように、回転軸の中心Ｏから放射状に延びる複数の直線と、同じく上記Ｏを中心として同心円状に延びる複数の円弧とで区切られた、湾曲して見える格子状の各区画内に、オレンジ色の模様部分５５と、クリームイエロー色の模様部分５６と、ピンク色の模様部分５７とが、互いの色が重ならないよう交互に並んだ構成になっている。したがって、上記三色の模様部分５５〜５７からなる色模様は、略四角形状の色のブロックが交互に並んだような、カラフルな色模様である。また、これを蓋する蓋体１１の上面には、図７（ｂ）に示すように、その略全面に白色の着色層１８が形成されているとともに、大小様々な大きさの円形がランダムに並んだデザインの透明領域２１が形成されている。
【００４１】
そして、上記蓋体１１が容器本体１０の上面を完全に閉じた状態では、図７（ｃ）に示すように、透明領域２１のうち、比較的大きな円形の透明領域２１の大半に、オレンジ色の模様部分５５が位置決めされて、オレンジ色の水玉模様となり、他の透明領域２１には、容器本体１０の上面（白色）が重なって、この部分には模様がないように見える。
【００４２】
つぎに、蓋体１１をわずかに回動させると、図８（ａ）に示すように、透明領域２１のうち、先程とやや異なる配置で、比較的大きな円形の透明領域２１の大半に、クリームイエロー色の模様部分５６が位置決めされて、クリームイエロー色の水玉模様となり、他の透明領域２１には、容器本体１０の上面（白色）から重なって、この部分には模様がないように見える。したがって、蓋体１１を通して見える化粧料２０の表面のデザインが、白地にオレンジ色の水玉模様から、突然、白地にクリームイエロー色の水玉模様に変化したように見えて、強いインパクトを与える。
【００４３】
そして、さらに、蓋体１１を回動させていくと、図８（ｂ）〜（ｄ）に示すように、比較的大きな円形の透明領域２１の大半の部分から見える色が、ピンク（模様部分５７の色）→オレンジ（模様部分５５の色）→クリームイエロー（模様部分５６の色）、とつぎつぎと変化していく。また、色が表れる部分の位置も少しずつ変化するため、全体として、化粧料２０の表面のデザインが大きく変化するような印象を与えることができる。
【００４４】
これらの変化によって、蓋体１１を通して見える水玉模様の色が、つぎつぎと異なる色に変化するとともに、その配置が移動してみえるため、水玉が動きながら色を変えていくように見えて、非常にアイキャッチ効果が高いものとなる。なお、上記色模様は、前記の実施例と同様、化粧料２０の表面に静電印刷等によって薄く印刷しただけのものであってもよいが、色の異なる複数の模様部分を組み合わせて収容して厚み方向全体に同じ色模様となるようにしたり、透明保護シート４０（図６参照）の片面に色模様を印刷したりすることが、より好適である。すなわち、化粧料２０を繰り返し使用して化粧料２０がすり減っても、蓋体１１を回動すれば、いつでも上記の視覚的な変化を見ることができ、長期間、この変化を楽しむことができるからである。このことは、以下の例においても同じである。
【００４５】
なお、上記一連の例において、化粧料２０の表面に付与される色模様は、放射状の縞模様や、湾曲した格子状、といった幾何学的な模様であったが、蓋体１１側の透明領域２１との関連において、複数の模様パターンに変化するものであれば、幾何学的な模様に限らず、自由にデザインすることができる。
【００４６】
例えば、上記一連の例と同様、１点Ｏを回転軸として蓋体１１が周方向に回動自在に取り付けられたタイプの化粧料容器において、図９（ａ）に示すような化粧料２０が収容された容器本体１０と、図９（ｂ）に示すような上面構成の蓋体１１とを組み合わせたものを用いることができる。
【００４７】
上記容器本体１０は、全体が白色樹脂成形体からなり、図９（ａ）に示すように、その化粧料用凹部１３内に、白色の模様部分５８と赤色の模様部分５９とを組み合わせた化粧料２０が、白地に赤いハートがたくさん散ったようなデザインで収容されている。また、蓋体１１は、透明樹脂成形体からなり、図９（ｂ）に示すように、その上面に白色の着色層１８が形成され、その着色層１８の領域内に、ランダムにアルファベットの文字が散らばったように見えるたくさんの透明領域２１が設けられている。そして、透明領域２１からなるアルファベットの文字とは別に、着色層１８と重なるランダムな配置で、黄色や青、黄緑、緑といった寒色系の色に着色されたアルファベットの文字７０が印刷されている。
【００４８】
そして、上記蓋体１１が容器本体１０の上面を完全に閉じた状態では、図１０（ａ）に示すように、蓋体１１側の透明領域２１を通して、内側の化粧料２０の白い部分（白色の模様部分５８）や赤い部分（赤色の模様部分５９）が見えるものの、その見え方は、混沌として意味をなさないものになっている。
【００４９】
つぎに、蓋体１１を回動させていくと、赤い部分が見える透明領域２１の位置が少しずつ移っていくものの、混沌とした見え方が続く。そして、上記蓋体１１の右下の角１１ａが、容器本体１０の輪郭の一辺に重なる位置まで回動した時点で、図１０（ｂ）に示すように、透明領域２１のうち、「Ｉ  ＬＯＶＥ  ＹＯＵ」の８文字（図において丸囲いで示す）だけが完全に赤色になり、周囲の寒色系の文字７０から目立って見えるようになる。そして、この位置からさらに蓋体１１を回動させると、再び赤い部分が見える透明領域２１の位置が少しずつ移動し、混沌とした見え方になる。
【００５０】
したがって、化粧料２０が幾何学的な模様でなくても、上記の例のように、蓋体１１を所定の位置に配置させるだけで、他の位置にあるときと全く異なる印象の模様（上記の例では特定の文字群）に変化したように見せることができ、興趣に富むものとなる。このような変化も、本発明の「色模様の規則的な変化」の一つである。
【００５１】
上記一連の例は、平面視正方形状の化粧料容器内に、化粧料２０が、同じく平面視正方形の化粧料用凹部１３もしくは中皿１４に収容されているが、化粧料容器の形状および化粧料２０を収容する凹部の平面視形状は、三角形や五角形等の多角形状、円形状、楕円形状等、どのような形状であっても差し支えない。
【００５２】
化粧料容器の平面視形状が正方形とは異なる形である例として、例えば、図１１（ａ）、（ｂ）に示すように、容器本体１０に対して蓋体１１を１点Ｏで回動自在に取り付けた、平面視しずく状の化粧料容器をあげることができる。図において、１３は化粧料用凹部であり、直接化粧料２０を収容するものであっても、中皿１４を介して収容するもの（図４参照）であってもよい。
【００５３】
上記容器本体１０は、全体が白色樹脂成形体からなり、その上面に設けられた化粧料用凹部１３内には、図１２（ａ）に示すように、回転軸の中心Ｏから放射状に延びる複数の直線と、同じく上記Ｏを中心として同心円状に延びる複数の円弧とで区切られた、湾曲して見える格子状の各区画内に、オレンジ色の模様部分６０と、ピンク色の模様部分６１と、クリームイエロー色の模様部分６２とが、互いの色が重ならないよう交互に並んだ状態で収容されている。したがって、この三色の模様部分６０〜６２からなる化粧料２０の表面は、略四角形状の色のブロックが交互に並んだような、カラフルな色模様になっている。なお、これらの模様部分６０〜６２を区切る放射状の直線が互いになす角度（蓋体１１の回転軸の中心Ｏを挟む角度θ［図１２（ａ）を参照］）は、それぞれ１５°に設定されている。また、これを蓋する蓋体１１の上面には、図１２（ｂ）に示すように、白色の着色層１８と、回転軸の中心Ｏから放射状に延びる、四本の透明領域２１とが形成されている。この透明領域２１の角度θ′も、それぞれ１５°に設定されている。
【００５４】
そして、上記蓋体１１が容器本体１０の上面を完全に閉じた状態では、図１２（ｃ）に示すように、四つの透明領域２１に、内側の色模様のうち、オレンジ色の模様部分６０とクリームイエロー色の模様部分６２のみが位置決めされて見え、ピンク色の模様部分６１は見えないため、蓋体１１を通して見える化粧料２０の表面には、オレンジの円弧状の縞とクリームイエローの円弧状の縞とが交互に並ぶ縞模様のデザインが付与されているように見える。
【００５５】
つぎに、蓋体１１をわずかに回動（具体的には７．５°回動）させると、図１２（ｄ）に示すように、上記透明領域２１に、オレンジ、ピンク、クリームイエローの三色の模様部分６０〜６２が交互に並んだ部分が位置決めされるため、全体がモザイク模様のように見えて、その印象ががらりと変わる。そして、さらに、蓋体１１を回動させると、図１２（ｅ）に示すように、上記透明領域２１に、ピンク色の模様部分６１とクリームイエロー色の模様部分６２のみが位置決めされて見え、オレンジ色の模様部分６０は見えないため、化粧料２０の表面には、ピンクの円弧状の縞とクリームイエロー色の円弧状の縞とが交互に並ぶ縞模様のデザインが付与されているように見える。
【００５６】
つぎに、蓋体１１をさらに回動させると、図１３（ａ）に示すように、上記透明領域２１に、オレンジ色、ピンク色、クリームイエロー色の三色の模様部分６０〜６２が交互に並んだ部分が位置決めされるため、色模様が縞模様からモザイク模様に変化して、その印象ががらりと変化する。そして、さらに蓋体１１を回動させると、図１３（ｂ）に示すように、上記透明領域２１に、再びオレンジ色の模様部分６０とクリームイエロー色の模様部分６２とのみが位置決めされて見え、ピンク色の模様部分６１は見えないため、化粧料２０の表面には、オレンジの円弧状の縞とクリームイエローの円弧状の縞とが交互に並ぶ縞模様のデザインが付与されているように見える。
【００５７】
そして、さらに蓋体１１を回動させると、図１３（ｃ）〜（ｅ）に示すように、上記透明領域２１に、オレンジ、ピンク、クリームイエローの三色の模様部分６０〜６２が交互に並んだ部分が位置決めされた状態を経由して、その透明領域２１に、再びピンク色の模様部分６１とクリームイエロー色の模様部分６２とが位置決めされて見え、オレンジ色の模様部分６０は見えない状態となるため、再び、ピンクとクリームイエローの縞模様が現出したかのように見える。そして、さらに蓋体１１を回動させると、前記図１２（ｄ）に示す場合と同様、透明領域２１に、上記三色の模様部分６０〜６２が交互に並んだ部分が位置決めされた状態となる。
【００５８】
したがって、上記化粧料容器によれば、蓋体１１の透明領域２１から見える化粧料２０表面の色模様が、オレンジとクリームイエローの縞模様→三色のモザイク模様→ピンクとクリームイエローの縞模様→三色のモザイク模様、と順次変化していくように見えるため、アイキャッチ効果が高いものとなる。
【００５９】
また、上記容器本体１０における色模様の分割度合いと、蓋体１１における透明領域２１の配置を、より緻密に設定することにより、蓋体１１の回動動作に伴って、あたかも模様が動いているかのような、いわゆる「スキャニメーション効果」を発揮させることもできる。例えば、上記図１１に示す例と同様、平面視しずく状の化粧料容器を例にとって説明すると、まず、図１４（ａ）に示すように、この化粧料容器の蓋体１１は、全体が透明樹脂成形体からなり、その上面に、回転軸の中心Ｏから放射状に延びる多数本の黒い筋からなる着色領域１８′が形成され、その着色領域１８′の筋と筋の間に、同じく放射状に延びる多数本の筋状の透明領域２１′が形成されている。なお、上記の、各透明領域２１′の配置の間隔Ｐ［図１４（ａ）を参照］は４°に設定されている。また、各透明領域２１′の幅（各透明領域２１が回転軸の中心Ｏを挟む角度）θは１°に設定されている。
【００６０】
一方、上記容器本体１０の化粧料用凹部１３内に収容された化粧料２０の表面には、図１４（ｂ）に示すように、蓋体１１の透明領域２１′が１°ずれるごとに、その透明な筋部分から見える模様パターンが少しずつ変化して見えるよう設定された、オレンジ色の模様部分８０とクリームイエロー色の模様部分８１との組み合わせからなる色模様が付与されている。
【００６１】
上記構成によれば、蓋体１１を閉じた状態では、上記透明領域２１′の筋状の隙間から、オレンジ色の地の上に、クリームイエロー色の大小いくつかのハートが散らばっている模様が見えるようになっている。そして、蓋体１１を、図１４（ａ）において矢印Ｑで示すように、側方に回動させると、透明領域２１′の筋状の隙間が１°ずれるごとに、その隙間から見えるハートの位置が手前側に近づいて大きくなっていくとともに、奥側から小さな新しいハートがつぎつぎと現れてくるため、錯視によって、ハートが奥側から手前側につぎつぎと湧き出て近づいてくるように動いて見える。また、逆に、蓋体１１を、側方に大きく開いた状態から閉じていくと、手前側の大きなハートが奥側に遠ざかってどんどん吸い込まれていくように動いて見える。したがって、蓋体１１を開閉するたびに、非常にインパクトの強い印象を受けることとなり、興味深いものとなる。
【００６２】
このように、錯視によってあたかも模様が動くような印象を与えるには、化粧料２０の表面全体を、蓋体１１の透明領域２１′（互いの間隔が４°で透明領域２１′の幅は１°）が通過する１°の幅に合わせて、中心Ｏから放射状に延びる直線によって角度１°のごく狭い部分円状の領域に分割するとともに、四段階でハートの大きさと位置が変化する四種類の模様パターンを用意する。そして、これらの模様パターンを、上記と同様にして角度１°分ずつ分割して分割パターンを作成する。そして、図１４（ｂ）に示すように、その１°分ずつを、ａ1、ａ2、…というように割り振って交互に並べる。このようにして、蓋体１１の透明領域２１′が１°ずれるにしたがって、四通りの模様パターンが順次現れ、錯視によって、上記のようなスキャニメーション効果が得られるのである。
【００６３】
上記模様パターンの数は、蓋体１１の回動に伴い、どの程度の角度ごとにどの程度の領域を透明領域２１′から見せるかによって決定される。上記の例では、回動ピッチ４°ごとに１°の幅の透明領域２１′が設けられているため、緻密なスキャニメーション効果が得られるようになっているが、前記の例のように、比較的透明領域２１が太い幅で、粗い間隔で模様の変化を見せるものであっても、蓋体１１の開閉時に、予期しない模様の変化を顧客に見せることができるため、充分にインパクトがあり興趣に富むものであるといえる。
【００６４】
なお、本発明の化粧料容器は、蓋体１１が、容器本体１０の上面に対し１点を中心として側方に回動自在に取り付けられているものであれば、その取り付け方法や形状等はどのようなものであってもよい。
【００６５】
また、本発明において、蓋体１１の透明部分の表面や裏面に凹凸を形成するようにしてもよい。凹凸の形成によって、その部分を透かして見える模様が、より複雑な見え方をして、より興趣に富む視覚的な効果が得られるからである。
【００６６】
さらに、本発明において、視覚的な効果を得るために、特定の模様を付与した透明保護シート４０を用いる場合（図６を参照）、単に、その模様の視覚的な変化を見せるだけでなく、その下の化粧料２０の上面にも、第２の特定の模様を付与し、その第２の特定の模様と透明保護シート４０の模様とが組み合わさった複雑な模様を、蓋体１１の透明領域２１等から見せるようにしてもよい。この構成によれば、化粧料２０を使用していない段階では、上記特殊な組み合わせ模様の視覚的な変化を楽しむことができ、化粧料２０の使用によってその上面に付与された第２の特定の模様が消失していくにつれて、透明保護シート４０の模様との組み合わせ模様の見え方が変化するため、経時的に、その視覚的な効果も変化する。そして、最終的には、透明保護シート４０の模様単独による視覚的な効果が得られるようになる。したがって、長期間にわたって、組み合わせられる模様の変化に伴ってその見え方も変化する、興味深い視覚的な効果を得ることができる。
【００６７】
そして、本発明において、化粧料容器内に収容される化粧料は、その上面に特定の模様を付与することができるか、化粧料片として組み合わせて凹部内に収容できるか、あるいはその上に透明保護シートを載置することができるものでなければならないため、一定の保形性が必要である。したがって、このような化粧料としては、ファンデーションやフェイスカラー等、粉末タイプの化粧料であるか、容器への充填温度で溶融して流動性を有し冷却によって固化する油性化粧料であることが好適である。
【産業上の利用可能性】
【００６８】
本発明は、蓋体の開閉時に、蓋体を通して見える化粧料表面の模様が変化するように見える、斬新な化粧料容器の提供に利用することができる。
【符号の説明】
【００６９】
１０  容器本体
１１  蓋体
１３  化粧料用凹部
２０  化粧料
２１  透明領域
【図１】
2015188628.tif 000003
【図２】
2015188628.tif 000004
【図３】
2015188628.tif 000005
【図４】
2015188628.tif 000006
【図５】
2015188628.tif 000007
【図６】
2015188628.tif 000008
【図７】
2015188628.tif 000009
【図８】
2015188628.tif 000010
【図９】
2015188628.tif 000011
【図１０】
2015188628.tif 000012
【図１１】
2015188628.tif 000013
【図１２】
2015188628.tif 000014
【図１３】
2015188628.tif 000015
【図１４】
2015188628.tif 000016
【図１５】
2015188628.tif 000017